(57)【特許請求の範囲】
【請求項１】
ハンドル部と、該ハンドル部に連結するヘッド部とを有する歯科用切削装置であって、該ヘッド部がヘッドハウジングとその内部に配置されたコア部とを有し、該ヘッドハウジングがヘッドハウジング壁とヘッドハウジング蓋とを有し、前記コア部がタービン軸を有するタービンと、それぞれ該タービン軸の上部と下部に被せられている上部軸受けと下部軸受けとを有し、該上部軸受けと該下部軸受けが前記ヘッドハウジング内の対応する軸受け座に設置されている歯科用切削装置において、
前記上部軸受けと前記下部軸受けとの間に給気通路及び還気通路を備えているタービンキャビティが形成され、前記上部軸受けの上部が上部排気通路であり、前記下部軸受けの下部が下部排気通路であり、前記ハンドル部と前記ヘッドハウジングの連結部が前記ハンドル部の頚部であり、前記ハンドル部と前記ヘッドハウジングの材料がいずれもプラスチックであり、
前記切削装置が押圧式切削装置であって、その切削具押圧保持機構が、前記タービン軸中心孔に設けられ、前記上部軸受けと前記下部軸受けの間隔の略全長において上に向かってテーパー状に漸次小径となるテーパー形孔と、前記タービン軸中心孔の中に設けられているクランプ爪であり、該クランプ爪が前記タービン軸の軸方向に沿ってテーパー形孔に対応した楔形であり、前記クランプ爪の上部が連接棒と一体となり、該連接棒の上部が前記タービン軸の中心孔から伸び出てバネ止め板と一体となり、前記連接棒外の前記バネ止め板と前記タービン軸との間にバネが設けられていることを特徴とする歯科用切削装置。
【請求項２】
前記タービン軸、前記クランプ爪、前記連接棒及び前記バネ止め板がいずれもプラスチ
ック製であることを特徴とする、請求項１に記載の歯科用切削装置。
【請求項３】
前記ヘッドハウジング蓋がゴム製であるため締め具にきつく締められていることによっ
て前記ヘッドハウジング壁の上部を密封することを特徴とする、請求項１又は２に記載の
歯科用切削装置。
【請求項４】
前記ゴム製ヘッドのヘッドハウジング蓋が、シリコンゴム、ポリウレタン、天然ゴムあるいは生ゴムのいずれか一つであることを特徴とする、請求項３に記載の歯科用切削装置。
【請求項５】
前記バネ止め板が慣性円盤であることを特徴とする、請求項１に記載の歯科用切削装置
【請求項６】
前記バネが皿バネまたは平バネのいずれか一つであることを特徴とする、請求項１に記
載の歯科用切削装置。
【請求項７】
前記皿バネまたは平バネが対向しかみ合い、重なるように設置されていることを特徴と
する、請求項６に記載の歯科用切削装置。
【請求項８】
前記皿バネまたは前記平バネが溝型皿バネまたは溝型平バネであることを特徴とする、
請求項６又は７に記載の歯科用切削装置。
【発明の詳細な説明】
【技術分野】
【０００１】
本発明は、歯科手用器具に関するものであり、特に歯科用切削装置に関する。
【背景技術】
【０００２】
一般に、歯科用の空気式切削装置の先端にヘッド部を備えており、このヘッド部に必要な切削工具の部材が内装されている。ヘッドの内部には、切削工具を保持するロータ軸と回転軸を支持する２つの軸受部と、これら２つの軸受部の間に配置された翼車が収容されており、ヘッドのハンドル部の内部に配置されている給気路から供給される高圧空気を翼車に当てて切削工具に回転を与えている。しかしながら、このような構成を有する空気式切削装置では、ヘッド部が口腔内に進入するため、ランプの光が遮断されやすく、操作上の不便を引き起こす。従来のランプ付き手用切削装置では、光が直接ドリルの先端を照射できず、また、サックバック防止装置が複雑である。具体的には、従来の技術では以下の問題点がある。
【０００３】
（１）サックバック防止構造が複雑である、あるいは、使用上不便である。
（２）今まで、スイッチが後端の空気供給通路上に配置されている、そのため、圧力が減少し、回転速度にも影響を与えている。
（３）弾性膜が電気を伝導し、コストが高く、工程が複雑である。
（４）ランプ、電源、スイッチ間の距離が大きく、コンパクトでない、トラブルが起こりやすい。
（５）従来の押圧式歯科用ドリルの押圧機構の構造が複雑で、部材の数が多い上に密封する必要があるため、コストが高い。
（６）プラスチック製の押圧機構を有してない。従来のものは、押圧機構のプラスチックのタービンでないため、質量が小さく、回転慣性も小さい、結果、操作時の運転が不安定である。
【０００４】
従来の押圧機構のものは、材料が高く、工程が複雑で、価格が高い。特に、押圧機構のコイルバネは、高品質の材料が必要とされるため、長い期間において、輸入に依頼してきた、よって、価格が高い。
【０００５】
（７）従来のものは、噴霧水用通路を有しているため、一つの通路が増えると、製造工程と材料も増える、よって、コストが高くなる。
（８）従来のものは、ハンドル部にチューブ類が内蔵されており、装着が難しい、また、ハンドル部の壁が支持されておらず、厚みがあるため、収納できるチューブが限られている。
【発明の概要】
【発明が解決しようとする課題】
【０００６】
本発明は、実用的かつ低コスト的で、工程が簡略化したサックバックを防止でき、自発光で使い捨ての押圧式歯科用切削装置を提供することを目的としてなされたものである。本発明の全体としての思想が廉価な材料を使用し、部材が占める空間を減らすことであるため、以下の課題を解決する必要がある。
【０００７】
（１）本発明の第一の課題は、体積が小さく、下の排気通路上に設けられ、気流を電源スイッチとして用いる歯科用切削装置を提供することである。
（２）本発明の第二の課題は、構造が簡単でサックバックを防止できる切削装置を提供することである。
（３）本発明の第三の課題は、サックバックを防止できる、かつ、スイッチが占めるスペースが小さい切削装置を提供することである。
（４）本発明の第四の課題は、弾性膜を導体としない、あるいは、弾性膜上に導体を取り付けない切削装置を提供することである。
（５）本発明の第五の課題は、電源、スイッチ、ランプの三者の接続はコンパクトであり、かつ、該三者が占めるスペースが小さい切削装置を提供することである。
（６）本発明の第六の課題は、構造が簡単で製造コストが低い歯科用押圧機構の切削装置を提供することである。
（７）本発明の第七の課題は、運転が安定で、製造工程が簡略で、価格が安い押圧機構のドリルを提供することである。
（８）本発明の第八の課題は、噴霧水用通路を省いても噴霧効果を維持できることである。
（９）本発明の第九の課題は、構造が簡単で、壁が薄くて頑丈で、現在及び今後の使用に耐え得るハンドル部を有している歯科用ドリルを提供することである。
【課題を解決するための手段】
【０００８】
上記課題を解決するため、本発明は以下の技術手法を採用する。
【０００９】
ハンドル部と、該ハンドル部に連結するヘッド部とを有する歯科用切削装置であって、ヘッド部が、ヘッドハウジングとその内部に配置されたコア部によって構成され、ヘッドハウジングが、ヘッドハウジング壁とヘッドハウジング蓋で構成され、コア部が、タービン軸を有するタービンと、それぞれタービン軸の上部と下部に被せられている上部軸受けと下部軸受けの２つの軸受けで構成され、該上部軸受けと下部軸受けが、ヘッドハウジング内対応する軸受け座に設置されている歯科用切削装置において、前記上部軸受けと下部軸受けとの間に給気通路及び還気通路を備えているタービンキャビティが形成されており、上部軸受けの上部が上部排気通路であり、下部軸受けの下部が下部排気通路であり、ハンドル部とヘッドハウジングの連結部がハンドル部の頚部であり、ハンドル部とヘッドハウジングの材料がいずれもプラスチックであることを特徴とする歯科用切削装置。
【００１０】
ヘッドハウジング壁の外側にニードルジャックを囲むようにＬＥＤパッチランプが設置され、ＬＥＤパッチランプが、電源及びスイッチに接続され、該スイッチが、下部排気通路に設けられている空気作動薄膜スイッチを指していることを特徴とする歯科用切削装置。
【００１１】
前記空気作動薄膜スイッチにおいて、環状隔離層Ｉによって、その幅が環状隔離層に対応する２層の薄膜リングが隔離される、２層の薄膜リングにおいて、いずれもリングの中心方向に向かって突出した羽根が設けられ、この２つの突出した羽根の接触と非接触に対応して、空気作動薄膜スイッチの開閉が構成されることを特徴とする歯科用切削装置。
【００１２】
前記２つの突出した羽根の間のリングの中心の端において隔離層が固定されることを特徴とする歯科用切削装置。
【００１３】
環状隔離層Ｉによって、隔離された２層の薄膜リングの幅が環状隔離層Ｉよりも大きく、２層の薄膜リング上において、環状隔離層Ｉの内側に沿ってリングの中心方向に向かってＴ字型スリットが設けられ、隣接する２つのＴ字型スリット間が突出した羽根を構成することを特徴とする歯科用切削装置。
【００１４】
前記排気通路に環状一方弁が固定され、この環状一方弁が環状伸縮弾性膜であって、自然状態では、環状伸縮弾性膜はタービン軸または切削具を保持し、運転状態では、環状伸縮弾性膜の中心孔がタービン軸または切削具を吹き離すことを特徴とする歯科用切削装置。
【００１５】
前記環状伸縮弾性膜が、フレキシブルなシリコンゴム、ポリウレタン、天然ゴムあるいは生ゴムのいずれか一つであることを特徴とする歯科用切削装置。
【００１６】
前記環状伸縮弾性膜の下面の一部が、自然状態では、ヘッド部の内部部材と非接触となり、排気状態では、ヘッド部の内部部材と接触となる、環状伸縮弾性膜の下面の該一部がヘッド部の内部と接触となる部分がスイッチを構成することを特徴とする歯科用切削装置。
【００１７】
前記環状伸縮弾性膜の下面に導体が設けられ、導体が、放射状に分布し、環状伸縮弾性膜の外側の縁において環状に接続されている、ヘッド部内部の対応部材の接触部分に導体が設けられていることを特徴とする歯科用切削装置。
【００１８】
前記環状伸縮弾性膜の導体が設けられている部分が厚くなり、凸部が形成される、導体が設けられていない部分が薄いため、凹部が形成されることを特徴とする歯科用切削装置。
【００１９】
前記環状伸縮弾性膜の下方に環状押圧式薄膜スイッチが設けられていることを特徴とする歯科用切削装置。
【００２０】
前記環状押圧式薄膜スイッチとして、上下二つの弾性リング間に少なくとも二つの隔離ポイントを設け、隔離ポイント以外の部分が、圧力を受けて接触となり、自然状態では非接触となることにより押圧式薄膜スイッチが構成されることを特徴とする歯科用切削装置。
【００２１】
前記弾性膜の中心孔周囲が厚く、環状の台が形成され、該環状の台の外側に厚さが環状の台より薄い圧力ブロックが設けられ、環状の台と圧力ブロックの上部が接続されているが、下部が離れており、圧力ブロックが、環状薄膜スイッチの隔離ポイントが設けられてない部分に対応していることを特徴とする歯科用切削装置。
【００２２】
前記ＬＥＤランプ及びスイッチがヘッド部に設置され、電源装置が少なくともヘッド部に設置されていることを特徴とする歯科用切削装置。
【００２３】
前記電源が、ヘッド部に設置されている環状電池であることを特徴とする歯科用切削装置。
【００２４】
前記電源が、ヘッド部頚部側に設置されているボタン電池またはピン型電池であることを特徴とする歯科用切削装置。
【００２５】
前記切削装置が、押圧式切削装置であって、ヘッドの蓋の材料がゴムであり、ゴム製ヘッドの蓋が締め具にきつく締められることによって、ヘッドハウジング壁の上部を密封することを特徴とする歯科用切削装置。
【００２６】
前記ゴム製ヘッドの蓋が、シリコンゴム、ポリウレタン、天然ゴムあるいは生ゴムのいずれか一つであることを特徴とする歯科用切削装置。
【００２７】
前記切削装置が押圧式切削装置であって、その切削具押圧保持機構が、タービン軸中心孔に設けられている一段のテーパー形孔と、タービン軸中心孔の中に設けられているクランプ爪とであり、該クランプ爪がタービン軸の軸方向に沿ってテーパー形孔に対応した楔形であり、クランプ爪の上部が連接棒と一体となり、連接棒の上部がタービン軸の中心孔から伸び出て、バネ止め板と一体となり、連接棒外のバネ止め板とタービン軸との間にバネが設けられており、タービン軸、クランプ爪、連接棒とバネ止め板が、いずれもプラスチック製であることを特徴とする歯科用切削装置。
【００２８】
前記バネ止め板が、慣性円盤であることを特徴とする歯科用切削装置。
【００２９】
前記バネが、皿バネまたは平バネのいずれか一つであることを特徴とする歯科用切削装置。
【００３０】
前記皿バネまたは平バネが対向しかみ合い、重なるように設置されていることを特徴とする歯科用切削装置。
【００３１】
前記皿バネまたは平バネが溝型皿バネまたは溝型平バネであることを特徴とする歯科用切削装置。
【００３２】
前記クランプ爪が切削具をはさむとき、タービン軸の中心孔の上端と下端が連通することを特徴とする歯科用切削装置。
【００３３】
連接棒とタービン軸の中心孔との間にシールリングが設けられ、上部排気通路に還気通路と連通する還気通路ＩＩが設けられていることを特徴とする歯科用切削装置。
【００３４】
下部排気通路に噴水孔が設けられていることを特徴とする歯科用切削装置。
【００３５】
上部排気通路あるいは上部と下部二つの排気通路に噴水孔が設けられていることを特徴とする歯科用切削装置。
【００３６】
噴水孔の噴水通路が、ヘッドハウジング壁内とハンドル部の頚部に設けられていることを特徴とする歯科用切削装置。
【００３７】
ハンドル部の中がハンドル部の軸方向に沿って設置された格子通路であって、該格子通路がヘッド部及びハンドル部のプラグに対応する通路のそれぞれに連通していることを特徴とする歯科用切削装置。
【００３８】
格子通路が給気通路であって、該格子通路が、前記頚部において給気経路から伸び出て、ヘッド部の給気通路と連通し、ハンドル部の尾の部分において給気経路から伸び出て、ハンドル部のプラグの給気通路と連通する、少なくとも一つの格子通路が給水通路であって、該格子通路が、頚部において給水経路から伸び出て、ヘッド部の給水通路と連通し、ハンドル部の尾の部分において給水経路から伸び出て、ハンドル部のプラグの吸水通路と連通する、ヘッド部の還気通路が頚部ハンドル部の中のキャビティを通して他の格子通路と連通し、前記格子通路が尾の部分ハンドル部の中のキャビティを通してプラグ還気通路と連通することを特徴とする歯科用切削装置。
【００３９】
本発明の上記技術手法を用いることにより、以下の利点がある。
【００４０】
（１）、前記の薄膜はポリエチレンテレフタラート（ＰＥＴ）、ポリ塩化ビニル（ＰＶＣ）、ポリビニル硫酸エステル等であってもよい。このような薄膜は非常に薄く、通常その厚みが１０ｄｍｍ、すなわち、１００μｍである、この薄膜を用いて作られたスイッチも非常に薄い、ＬＥＤパッチの厚みも大きくないため、ヘッドの体積を大きく増やすことなくスイッチ及びランプをヘッド部に取り付けることができる。
（２）、本発明は、環状伸縮弾性膜を採用している。環状伸縮弾性膜がパッドの役割を果たすとともにバックサック現象を防ぐことができる。この環状伸縮弾性膜が従来のパッドと同じスペースを占めるため、新たな空間を増やすことなく、従来の歯科用ドリルの大きさを維持できる。
（３）、本発明は、薄膜スイッチを採用している。排気通路において、還気を防ぐ薄膜は同時に薄膜スイッチとしての役割を果たすため、サックバックを防ぎ、スペースを小さくする目的を実現できる。
（４）、電導弾性膜は、ゴムに銀粉を加えてなるためコストが高くなる、炭粉を加える場合、弾性が減少される、弾性膜で電導材料を包んでキーを押圧する方式として用いる場合、工程が複雑の上、体積も多少大きくなる。したがって、弾性膜を押圧式薄膜スイッチの押圧動力として使用する場合、工程が簡略で、コストが低く、場所をとらないといった要求を満たすことができる。
（５）、本発明において、電源、スイッチ、ランプが全てヘッド部に設置されるため、あるいは、電源部分がヘッド部内にあるため、三者がコンパクトに連接され、スペースを小さくする目的を実現できる。
（６）、本発明において、ゴムを押圧式ボタンとして使うためバネ及びその他のシール部材を省くことができ、機構が簡単でコストも低い。
（７）、本発明において、受け軸として、内径４ｍｍの受け軸を使用し、回転部材の質量が相応に増えるため、運転の安定に寄与する。該受け軸限定の押圧機構の部材の材料としてプラスチックを使用するため、耐荷力の要求を満たすことができ、長い間期待されて来た押圧機構の低コスト化の技術課題を解決した。皿バネまたは平バネの使用によって、バネのコストを徹底的に減らし、バネ止め板は慣性円盤に使用されるため、運転の安定に寄与する。
（８）、本発明において、噴霧水を上部の排気通路及び下部の排気通路に噴射するため、これらの場所の気流が激しくなる、また、回転するため、霧化効果をよりよくすることができる。
（９）、本発明において、ハンドル部が格子に支持されるため、ハンドル部の壁を薄くかつ頑丈にできる。同時に、格子通路が歯科用ドリルの機能通路として使われる。このように、二つの機能を果し、構造を簡略にできる。
【００４１】
以上の通り、本発明によれば、実用的かつ低コスト、工程が簡易でサックバックを防止でき、自発光で使い捨ての押圧式歯科用切削装置を提供できる。低価格かつ高品質を実現できる。
【図面の簡単な説明】
【００４２】
【図１】ヘッド部の断面構造概略図である。
【図２】図１のＢＢ線に沿って切断された断面構造概略図である。
【図３】刃がヘッド部に接触する断面構造概略図である。
【図４】刃の先端に隔離シートを設けたときの刃がヘッド部に接触する断面構造概略図である。
【図５】刃の先端に隔離シートを設けたときの刃がヘッド部を分離する断面構造概略図である。
【図６】Ｔ字型スリットの概略図である。
【図７】排気通路に環状伸縮弾性膜が固定されたヘッド部の断面構造概略図である。
【図８】排気通路に環状伸縮弾性膜を固定され、且つ吹き離されたヘッド部の断面構造概略図である。
【図９】環状伸縮弾性膜がヘッド部ＬＥＤランプ台の頂面と接触するヘッド部の断面構造概略図である。
【図１０】環状伸縮弾性膜の下面の図である。
【図１１】環状伸縮弾性膜の下方に環状押圧式薄膜スイッチが設けられたヘッド部の断面構造概略図である。
【図１２】環状伸縮弾性膜の下方に環状押圧式薄膜スイッチが設けられた拡大概略図である。
【図１３】図１２のＪ−Ｊ線に沿って切断された断面構造概略図である。
【図１４】図１２のＫ−Ｋ線に沿って切断された断面構造概略図である。
【図１５】ヘッド部の中に環状電池が設けられた概略図である。
【図１６】ボタン式電池がヘッド部頚部に設置されたヘッド部の断面構造概略図である。
【図１７】溝型皿バネの外形図である。
【図１８】溝型平バネの外形図である。
【図１９】連接棒とタービン軸の中心孔との間にシールリングが設置され、かつ還気通路ＩＩが設置されるへッド部の断面構造概略図である。
【図２０】図１のＤＤ線に沿って切断された断面構造概略図である。
【図２１】図１のＣＣ線に沿って切断された断面構造概略図である。
【図２２】全体の断面構造概略図である。
【図２３】図２２のＧＧ線に沿って切断された断面構造概略図である。
【図２４】図２２のＨＨ線に沿って切断された断面構造概略図である。
【図２５】図２２のＩＩ線に沿って切断された断面構造概略図である。
【発明を実施するための形態】
【００４３】
ハンドル部と、該ハンドル部に連結するヘッド部とを有する歯科用切削装置であって、図１に示したように、ヘッド部は、ヘッドハウジング１とその内部に配置されたコア部２によって構成され、さらにヘッドハウジング１は、ヘッドハウジング壁１８１と、ヘッドハウジング蓋１８２とで構成され、コア部２は、タービン軸２８１を有するタービンと、タービン軸２８１の上部に被せられている上部軸受け２２１及びタービン軸２８１の下部に被せられている下部軸受け２２２とで構成され、該上部軸受け２２１は、ヘッドハウジング内の軸受け座１１に設置され、下部軸受け２２２はヘッドハウジング内の軸受け座１２に設置された歯科用切削装置において、上部軸受け２２１と下部軸受け２２２との間にタービンキャビティ１３が形成され、図２に示したように、タービンキャビティ１３に給気通路１４と還気通路１５を備えている。上部軸受け２２１の上部は上部排気通路であり、下部軸受け２２２の下部は下部排気通路であり、ハンドル部とヘッドハウジングの接続部はハンドル部の頚部８１であり、ハンドル部とヘッドハウジの材料はいずれもプラスチックである。
【００４４】
図１に示したように、ヘッドハウジング壁１８１の外側の切削具の差込口の周囲にＬＥＤパッチ３１が設置されている。ＬＥＤパッチ３１は、電源及びスイッチと接続している。該スイッチとは、排気通路の下部に設けられている空気作動薄膜スイッチのことを指す。
【００４５】
前記空気作動薄膜スイッチにおいて、環状隔離層Ｉによって、その幅が環状隔離層に対応する２層の薄膜リングが隔離されている。２層の薄膜リングがいずれもリングの中心方向に向かって突出した羽根３２３が設けられている。この２つの突出した羽根３２３間の図３と図１のような接触と非接触に対応して、空気作動薄膜スイッチの開閉が構成される。
【００４６】
図４のように、２つの突出した羽根３２３の間がリングの中心の端に接近し、隔離層ＩＩ３２４が固定される。２つの突出した羽根３２３は隔離の部分がなく、図４のように接触となり、図５のように非接触となり、空気作動薄膜スイッチの開閉が構成される。
【００４７】
図６のように、環状隔離層Ｉ３２１によって隔離された２層の薄膜リングの幅が環状隔離層Ｉ３２１よりも大きい。２層の薄膜リング上において環状隔離層Ｉ３２１の内側に沿ってリングの中心方向に向かってＴ字型スリットが設けられている。隣接する２つのＴ字型スリットの間が突出した羽根となる。また、環状隔離層に対応する部分が薄膜リングである。
【００４８】
前記歯科用切削装置において、排気通路に環状一方弁が固定されている。図７のように、該環状一方弁は、環状伸縮弾性膜４１であり、自然状態では、環状伸縮弾性膜４１の中心孔が切削具を保持し、図中において、切削具のみを保持する。タービン軸の長さを増やし、タービン軸を保持するようにすることもできる。図８のように、運転状態では、環状伸縮弾性膜４１の中心孔が切削具から吹き離され、いうまでもなく、タービン軸からも吹き離されることができる。
【００４９】
前記環状伸縮弾性膜４１は、フレキシブルなシリコンゴム、ポリウレタン、天然ゴムあるいは生ゴムのいずれか一つである。環状伸縮弾性膜４１の厚さは、およそ数十μｍ〜２ｍｍである。
【００５０】
環状伸縮弾性膜４１の下面の一部において、自然状態では、ヘッド部のＬＥＤランプ台５１の頂面と離れている。図９のように、排気状態では、該部分がヘッド部のＬＥＤランプ台５１の頂面と接触している。環状伸縮弾性膜の下面の部分とヘッド部のＬＥＤランプ台５１の頂面が接触する場所の接触と非接触がスイッチを構成する。この場合、環状伸縮弾性膜とＬＥＤランプ台の頂面はいずれも導体である。
【００５１】
前記環状伸縮弾性膜の下面に導体５２が設けられる。図１０は環状伸縮弾性膜の下面の図である。導体５２は、リングの中心に向かって放射状に分布し、環状伸縮弾性膜の外側縁において環状に接続される。ヘッド部の中のＬＥＤランプ台の頂面に導体が設けられ、環状伸縮弾性膜の導体５２に対応した部分が厚くなり、凸部が形成され、導体が設けられていない部分が薄いため、凹部５４が形成される
【００５２】
図１１のように、前記環状伸縮弾性膜４１の下方に環状押圧式薄膜スイッチ６１が設けられている。
【００５３】
図１２-１４のように、環状押圧式薄膜スイッチにおいて、上下二つの薄膜リング６１１の間に二つの隔離シート６１２が設けられている。薄膜リング６１１の隔離シートが設けられてない場所では、圧力を受けて接触となり、自然状態では非接触となる。このようにして、押圧式薄膜スイッチが構成される。
【００５４】
図１３のように、前記弾性膜４１の中心孔周囲が厚く、環状の台４１１が形成される。該環状の台４１１の外側に厚さが環状の台より小さい圧力ブロック４１２が設けられている。環状の台と圧力ブロックは上部において接続されている、圧力ブロック４１２が環状薄膜スイッチの隔離ポイントが設けられてない部分に対応している。運転時では、気流圧力が圧力ブロック４１２を押し下げ、２層の弾性リングが接触し、オンになる、運転停止時では、圧力ブロック４１２が持ち上げられ、２層の弾性リングが非接触となり、スイッチがオフとなる。
【００５５】
図１のように、前記ＬＥＤランプ及びスイッチは、ヘッド部に設置されている。電源装置は、少なくとも部分的にヘッド部に設置されている。よって、部材間のリンク経路が減少し、工程を簡略化にできるとともに使い捨ての部材の体積を縮小することができる。
【００５６】
図１５のように、前記電源は、ヘッド部の中に設置されている環状電池５１１である。
【００５７】
図１６のように、前記電源は、ヘッド部頚部側に設置されているボタン電池５１２、ＳＯＮＹ３３７ボタン電池である。
【００５８】
図１のように、前記電源は、ヘッド部頚部側に設置されているピン型電池５１３である。２０８号ピン型電池は、釣りフロート電池ともよぶ。２０８号は、直径２ｍｍ、長さ８ｍｍのものを指す。
【００５９】
前記切削装置は、押圧式切削装置である。ヘッドの蓋１８２はゴム製であるため、締め具１８３にきつく締められ、ヘッドハウジング壁１８１の上部を密封する。上部の軸受け座１１はヘッドハウジング壁１８１によって形成されたキャビティにねじで固定される。
【００６０】
前記ゴム製ヘッドの蓋は、シリコンゴム、ポリウレタン、天然ゴムあるいは生ゴムのいずれか一つであることを特徴とする歯科用切削装置。
【００６１】
前記切削装置は、図１のように、押圧式切削装置である。その切削具の押圧保持機構として、タービン軸２８１の中心孔２１１にテーパー形孔２１２が設置されている。テーパー形孔２１２内にクランプ爪２１３が設けられている。該クランプ爪２１３は、タービン軸の軸方向に沿ってテーパー形孔に合った楔形である。クランプ爪２１３の上部は連接棒２１４と一体となり、連接棒２１４の上部はタービン軸の中心孔から伸び出て、バネ止め板２１５と一体となる。連接棒２１４以外のバネ止め板２１５とタービン軸２８１との間にバネ２１６が設けられている。タービン軸２８１、クランプ爪２１３、連接棒２１４及びバネ止め板２１５はいずれもプラスチック製である。前記クランプ爪は、従来の押圧式歯科用ドリルの三枚バネの弁と殆ど同じ役割を果たす。プラスチック製の利点として、以下が挙げられる：プラスチックの剛性が低く、圧力を受けると、プラスチックが変形する、この変形が切削具、楔形ブロック、ロータ軸、内径三者間の接触面積と摩擦力を増やす。これにより、楔形ブロックが断裂するとき、針が飛びにくくなる。
【００６２】
前記バネ止め板２１５は、慣性円盤である。該慣性円盤は、従来のバネ止め板の直径より大きいため、慣性が増やされ、回転時の慣性モーメントも大きい。結果、切削するとき、速い回転速度と安定した回転を維持できる。
【００６３】
前記バネは、皿バネまたは平バネのいずれか一つである。皿バネまたは平バネも同様に慣性モーメントを増やす。
【００６４】
図１６のように、前記皿バネまたは平バネは、対向に置かれ、マッチするように重ねられている。このように設置し、押圧のルートを増やす。
【００６５】
前記皿バネは、図１７のように、溝型皿バネである。また、前記平バネは、図１８のように、溝型平バネである。
【００６６】
前記クランプ爪が切削具を挟むとき、タービン軸中心孔の上端と下端は連通する。タービン軸中心孔の上端と下端が連通するというのは、気流がタービン軸中心孔の上端から下端まで貫通するという意味である。この場合、切削具が挟まれたとき、タービン軸テーパー形孔の部分が密封していない限り、部材間の隙間を通して連通することができる。
【００６７】
前記歯科切削装置において、図１９のように、連接棒とタービン軸中心孔との間にシールリング２１７が設けられている、上部排気通路に還気通路と連通する還気通路ＩＩ１５１が設けられている。（還気通路ＩＩは、頚部において還気通路と連通しており、上部軸受けの温度を下げるために設置されている。本実施例では、還気通路ＩＩは、ハンドル部の中において、給気通路経路及び噴水通路経路外の空間に連通し、還気通路も該空間に連通している）
【００６８】
図１９のように、下部排気通路に噴水孔１６１が設けられている。
【００６９】
図１のように、上下二つの排気通路に噴水孔１６２と噴水孔１６１が設けられている。噴水孔１６２のみを設けてもよい。下部排気通路の噴水孔から噴出された水は、キャビティから噴出された気流によって霧化される。タービン軸あるいは切削具の回転に伴って排出されることによって、十分に霧化され、切削具を冷却できる。同時に、霧化専用噴射通路をなくした。従来の霧化専用通路は、タービンを回転させる給気通路と連通している。霧化用噴射通路をなせば、該噴射通路のサックバックを回避できる、さらに、噴水口は上部排気通路に設けられている。上の蓋が密封されているため、水及び気流は、皿バネまたは平バネとタービン軸及び慣性円盤との間の隙間によって、連接棒とタービン軸孔内との間の隙間に進入し、さらに、楔形ブロックの間の隙間を通して、下部排気通路に進入し、ヘッド部から噴出される。この間、水は十分に霧化されている。この場合、噴水量を増やすことができる、さらに、水は、タービン軸中心孔の内部部材の間の隙間を通して、切削具に向かって噴射することができる。
【００７０】
図１、１９、２０、２１のように、上部噴水孔１６２と下部噴水孔１６１は、ヘッドハウジング壁内とハンドル部の頚部に設けられている。前記噴水孔の噴水通路は、ヘッドハウジング壁内とハンドル部の頚部に設けられている。噴水通路をヘッドハウジング壁内に設置することは、三次元の成型装置によって実現できる。本実施例では、経路壁内に設置している。しかし、従来の３ポイント噴霧あるいはマルチポイント噴霧歯科用ドリルでは、下部軸受け座の下方に環状通路が設けられ、該環状通路が噴水通路と霧化用噴気通路を連通する。水及び気流は、該環状通路において気化された後、切削具の周囲に設けられた噴霧口から噴射される。例えば、申請番号  ２００９１０１５１５２１．６、発明名称「使い捨て噴霧高速タービン歯科用ハンドーピース」の中国の発明特許申請。このような機構において、霧化用の噴水通路が余計なものであり、該通路を設置しない。水は、噴霧口より排出された後、下部排出通路から高速気流が噴出されるため、切削具の周囲において負圧が形成される、この負圧によって、水が高速気流に吸入され、自然と霧化される。この方法は下部排気通路気流を利用しているため、同様に本特許のカバー範囲内であり、本発明の実施例である、環状通路の水を直接下部排気通路に進入させるのも本発明の実施例である。
【００７１】
前記歯科用切削装置において、図２２-２５のように、ハンドル部の中は、ハンドル部の軸方向に沿って設置された格子通路１６５である。該格子通路１６５は、ヘッド部及びハンドル部のプラグに対応する通路とそれぞれ連通している。ハンドル部の中に設置された格子通路は、支持する役割があるとともに、ハンドル部の中の通路として使われる。同じ断面積、同じ数の通路の場合、格子通路の利用率が最も高く、すなわち、各格子通路の断面積が最も大きい。また、通路を多く設置でき、歯科用ドリルの新たな機能に備え、通路を保留することができる。
【００７２】
前記格子通路１６５１は給気通路である。格子通路１６５１は、ハンドル部の頚部において給気経路１６５２から伸び出て、図２のように、ヘッド部の給気通路１４と連通し、ハンドル部の尾の部分において給気経路１６５３から伸び出て、ハンドル部のプラグの給気通路と連通する、格子通路１６５６は、給水通路であり、頚部において給水経路１６５７から伸び出て、図１のように、ヘッド部の給水孔１６１、１６２と連通し、ハンドル部の尾の部分において給水経路１６５８から伸び出て、ハンドル部のプラグの吸水通路と連通する、ヘッド部の還気通路１５は、頚部ハンドル部の中のキャビティ１６６を通して他の格子通路と連通する。これらの格子通路は、ハンドル部の尾の部分の中のキャビティを通してプラグの還気通路と連通する。前記格子通路は、ハンドル部の頚部において給気経路から伸び出て、ヘッド部の給気通路と連通する。該給気経路の格子通路から伸びた部分の形状は格子通路と一致する。該給気経路のヘッド部の給気経路と連通する部分の形状は給気通路と一致する。例えば、格子通路が菱形で、給気通路が円形である場合、該給気経路の形状は菱形から徐々に円形に変わる。
【図１】
0006042326.tif 000002
【図２】
0006042326.tif 000003
【図３】
0006042326.tif 000004
【図４】
0006042326.tif 000005
【図５】
0006042326.tif 000006
【図６】
0006042326.tif 000007
【図７】
0006042326.tif 000008
【図８】
0006042326.tif 000009
【図９】
0006042326.tif 000010
【図１０】
0006042326.tif 000011
【図１１】
0006042326.tif 000012
【図１２】
0006042326.tif 000013
【図１３】
0006042326.tif 000014
【図１４】
0006042326.tif 000015
【図１５】
0006042326.tif 000016
【図１６】
0006042326.tif 000017
【図１７】
0006042326.tif 000018
【図１８】
0006042326.tif 000019
【図１９】
0006042326.tif 000020
【図２０】
0006042326.tif 000021
【図２１】
0006042326.tif 000022
【図２２】
0006042326.tif 000023
【図２３】
0006042326.tif 000024
【図２４】
0006042326.tif 000025
【図２５】
0006042326.tif 000026